(57)【要約】      （修正有）【課題】封止樹脂の熱劣化を抑制できるリアクトルを提供する。【解決手段】巻線を巻回してなる巻回部２ａ、２ｂを有するコイル２と、巻回部内に配置される部分を有する磁性コア３と、コイル２と磁性コア３とを有する組合体１０を収納するケース４と、ケース内に充填されて、組合体１０を覆う封止樹脂１００とを備える。封止樹脂１００の最表面から巻回部２ａ、２ｂまでの距離が最短となる巻回部２ａ、２ｂの表面上の点を含み、封止樹脂１００の最表面１００ｆに平行な平面と、封止樹脂１００の最表面１００ｆとで挟まれる表層領域の構成材料の熱伝導率が１Ｗ／ｍ・Ｋ未満であり、表層領域の厚さが３．５ｍｍ以上である。【選択図】図１
2016178175.tif 000002
【特許請求の範囲】
【請求項１】
巻線を巻回してなる巻回部を有するコイルと、
前記巻回部内に配置される部分を有する磁性コアと、
前記コイルと前記磁性コアとを有する組合体を収納するケースと、
前記ケース内に充填されて、前記組合体を覆う封止樹脂とを備え、
前記封止樹脂の最表面から前記巻回部までの距離が最短となる前記巻回部の表面上の点を含み、前記封止樹脂の最表面に平行な平面と、前記封止樹脂の最表面とで挟まれる表層領域の構成材料の熱伝導率が１Ｗ／ｍ・Ｋ未満であり、
前記表層領域の厚さが３．５ｍｍ以上であるリアクトル。
【請求項２】
前記表層領域の構成材料は、エポキシ樹脂、ウレタン樹脂、及びアクリル樹脂から選択される少なくとも１種を含む請求項１に記載のリアクトル。
【請求項３】
前記巻回部と前記ケースの内底面との間に介在され、熱伝導率が２Ｗ／ｍ・Ｋ以上の絶縁材料を含む絶縁層を備える請求項１又は請求項２に記載のリアクトル。
【発明の詳細な説明】
【技術分野】
【０００１】
本発明は、ハイブリッド自動車などの車両に搭載される車載用ＤＣ−ＤＣコンバータといった電力変換装置の構成部品などに利用されるリアクトルに関する。特に、封止樹脂の熱劣化を抑制できるリアクトルに関するものである。
【背景技術】
【０００２】
電圧の昇圧動作や降圧動作を行う回路の部品の一つに、リアクトルがある。特許文献１は、ハイブリッド自動車などの車両に載置されるコンバータに利用されるリアクトルとして、巻線を螺旋状に巻回してなる巻回部（コイル素子）を有するコイルと環状の磁性コアとの組合体が、ケースに収納され、更に封止樹脂に埋設されたものを開示している。特許文献１では、封止樹脂を備えることで、組合体の機械的保護、外部環境からの保護、外部部品との電気的絶縁の確保を図ることができる、更に、セラミックスフィラーを含有する樹脂材料で封止樹脂を構成することで放熱性を高められるとしている。
【先行技術文献】
【特許文献】
【０００３】
【特許文献１】特開２０１４−１０７２９４号公報
【発明の概要】
【発明が解決しようとする課題】
【０００４】
封止樹脂を備えるリアクトルに対して、熱劣化を抑制できることが望まれている。
【０００５】
昨今、コンバータの大容量化、リアクトルの更なる小型化などに伴い、コイルへの大電流化などに起因して、リアクトルの使用時におけるコイルの温度が従来よりも高くなる傾向にある。特にコイルの巻回部の高温化によって、巻回部に接してその熱が伝えられる周囲部材、例えばコイルを覆う封止樹脂は、より高い温度になり得る。ここで、封止樹脂の最表面は、外部環境に曝されており、外部環境の雰囲気中の酸素などと接触する。封止樹脂の最表面及びその近傍が上述のように高温であると、上記雰囲気中の酸素と反応して酸化され得る。温度が高いほど、封止樹脂の最表面及びその近傍の酸化が促進されて、酸化劣化し易くなる。封止樹脂が酸化すると硬くなることがあり、封止樹脂の表面にクラックなどが生じ易くなる。このように酸化劣化といった熱劣化が生じると、封止樹脂の本来の機能、具体的には上述の保護や電気的絶縁、振動や騒音の防止などの機能を十分に果たせなくなったり、外観不良を招いたりなどする。従って、封止樹脂がより高温に加熱され得る使用環境であっても、熱劣化し難いリアクトルの開発が望まれる。
【０００６】
封止樹脂として、耐熱性に優れるもの、例えばシリコーン樹脂を利用すれば、熱劣化し難い。しかし、この場合、利用可能な材料が限られる。又は、封止樹脂として、熱伝導性に優れるもの、例えば、上述のセラミックスフィラーを大量に含む樹脂材料を利用することが考えられる。しかし、この場合、セラミックスフィラーの大量充填によって充填時の材料粘度が高くなり、充填時間の増大、脱気を容易にするための真空引きの実施などによって、生産性の低下を招く。生産性を考慮すると、セラミックスフィラーの充填量の増大には限界があり、セラミックスフィラー量の調整だけでは、上記封止樹脂の熱劣化を十分に抑制することは難しいと考えられる。
【０００７】
そこで、本発明の目的の一つは、封止樹脂の熱劣化を抑制できるリアクトルを提供することにある。
【課題を解決するための手段】
【０００８】
本発明の一態様に係るリアクトルは、巻線を巻回してなる巻回部を有するコイルと、前記巻回部内に配置される部分を有する磁性コアと、前記コイルと前記磁性コアとを有する組合体を収納するケースと、前記ケース内に充填されて、前記組合体を覆う封止樹脂とを備える。前記封止樹脂の最表面から前記巻回部までの距離が最短となる前記巻回部の表面上の点を含み、前記封止樹脂の最表面に平行な平面と、前記封止樹脂の最表面とで挟まれる表層領域の構成材料の熱伝導率が１Ｗ／ｍ・Ｋ未満である。前記表層領域の厚さが３．５ｍｍ以上である。
【発明の効果】
【０００９】
上記のリアクトルは、封止樹脂の熱劣化を抑制できる。
【図面の簡単な説明】
【００１０】
【図１】実施形態１のリアクトルを示す概略斜視図である。
【図２】実施形態１のリアクトルを図１に示す（ＩＩ）−（ＩＩ）切断線で切断した状態を示す断面図である。
【図３】実施形態１のリアクトルに備える組合体の分解斜視図である。
【図４】実施形態２のリアクトルをコイルの軸に平行な平面で切断した縦断面図である。
【発明を実施するための形態】
【００１１】
［本発明の実施の形態の説明］
最初に本発明の実施形態を列記して説明する。
（１）  本発明の一態様に係るリアクトルは、巻線を巻回してなる巻回部を有するコイルと、上記巻回部内に配置される部分を有する磁性コアと、上記コイルと上記磁性コアとを有する組合体を収納するケースと、上記ケース内に充填されて、上記組合体を覆う封止樹脂とを備える。上記封止樹脂の最表面から上記巻回部までの距離が最短となる上記巻回部の表面上の点を含み、上記封止樹脂の最表面に平行な平面と、上記封止樹脂の最表面とで挟まれる表層領域の構成材料の熱伝導率が１Ｗ／ｍ・Ｋ未満である。上記表層領域の厚さが３．５ｍｍ以上である。
【００１２】
上記のリアクトルは、封止樹脂のうち、少なくとも表層領域が比較的低熱伝導性の樹脂材料で構成されていること、及び上記表層領域の厚さが十分に厚いことによって封止樹脂の酸化劣化といった熱劣化を抑制できる。
【００１３】
詳しくは、上記のリアクトルでは、封止樹脂において、コイルの巻回部のうち少なくともケースの開口部寄りの領域を覆う表層領域が低熱伝導性の樹脂材料によって構成されており、この表層領域の厚さが３．５ｍｍ以上と厚い。封止樹脂の表層領域の厚さが十分に厚いことで、この表層領域の熱容量が大きい。そのため、封止樹脂の表層領域にコイルの熱が伝わっても、表層領域全体が高温になり難く、封止樹脂の表層領域の温度上昇を抑制できる。かつ、上記のリアクトルの封止樹脂において、ケースの底部寄りの領域は、表層領域よりも相対的に熱伝導性に優れて、コイルの熱をケースの底部に伝え易い。特に、ケースの底部が金属製であると共に、このケースが取り付けられるリアクトルの設置対象が冷却構造を備えてケースを冷却可能な場合には、ケースの底部は、ケースの開口部及びその近傍に比較して低温になり易い。すると、コイルとケースの底部との温度差が大きくなり易く、コイルの熱は、上述の封止樹脂において、相対的に熱伝導性に優れるケースの底部寄りの領域を介して、ケースの底部に良好に伝えられる。コイルの熱をケース外に速やかに伝達できるため、コイルの過熱を抑制でき、コイルの温度が高くなり難くなる。つまり、コイルから封止樹脂の最表面に向かって伝わり得る熱量を小さくできる。このことからも、封止樹脂の表層領域の温度上昇を抑制できる。
【００１４】
以上のように、封止樹脂の表層領域を厚く、かつ低熱伝導性とすることで、コイルへの通電電流が大電流化などしても、封止樹脂の最表面及びその近傍の温度は高くなり過ぎず、表層領域の構成材料が外部環境の酸素などと反応して酸化劣化することを抑制できる。従って、上記のリアクトルは、長期に亘り、封止樹脂の熱劣化によるクラックの発生などを抑制でき、クラックに起因する特性の低下や外観不良の発生などを抑制でき、優れた特性や外観を有する。
【００１５】
（２）  上記のリアクトルの一例として、上記表層領域の構成材料がエポキシ樹脂、ウレタン樹脂、及びアクリル樹脂から選択される少なくとも１種を含む形態が挙げられる。
【００１６】
エポキシ樹脂やウレタン樹脂は、従来のリアクトルにおいて封止樹脂として利用されており、実績があって利用し易い。従って、上記形態は、組合体に対する機械的保護・外部環境からの保護、組合体と外部部品との電気絶縁性の確保などの種々の面で信頼性も優れる。列挙した樹脂は、シリコーン樹脂などの耐熱性樹脂として利用される樹脂に比較して、熱劣化し易いとされる。しかし、上記形態は、上述のように上記表層領域の構成樹脂を低熱伝導性のものとすると共に表層領域の厚さを十分に厚くして、コイルの熱をケースの底部に伝達し易くしていることから、アクリル樹脂のような耐熱性が低いとされる樹脂を利用できる。また、上記表層領域の構成樹脂におけるセラミックスフィラーの含有量を過度に多くすることなく放熱性にも優れる。そのため、上記形態は、使用可能な材料の選択の自由度が広いながらも、放熱性に優れる上に、製造性にも優れる。
【００１７】
（３）  上記のリアクトルの一例として、上記巻回部と前記ケースの内底面との間に介在され、熱伝導率が２Ｗ／ｍ・Ｋ以上の絶縁材料を含む絶縁層を備える形態が挙げられる。
【００１８】
上記形態は、組合体を載置するケースの底部が金属製である場合でも、コイルの巻回部と内底面との間に絶縁材料から構成された絶縁層が介在することで、コイルの巻回部とケースの内底面との間の電気的絶縁を確保できる。特に、上記形態は、絶縁層自体が熱伝導性に優れるため、コイルの熱を、絶縁層を介してケースの底部に良好に伝達できる。従って、上記の形態は、封止樹脂の熱劣化を抑制できる上に、電気絶縁性、放熱性にも優れる。ケースの底部が金属製である場合には、放熱性に更に優れる。なお、熱伝導率の測定は、封止樹脂や絶縁層から試験片を切り出す、又は成分分析を行い、その結果に基づいて試験片を作製して行うとよい。
【００１９】
［本発明の実施形態の詳細］
以下、図面を参照して、本発明の実施形態を具体的に説明する。図中の同一符号は同一名称物を示す。
【００２０】
［実施形態１］
図１〜図３を参照して、実施形態１のリアクトル１Ａを説明する。図２は、リアクトル１Ａを、コイル２の巻回部２ａの軸に平行な平面で切断した縦断面図である。
【００２１】
・全体構成
実施形態１のリアクトル１Ａは、図１に示すように、巻線２ｗを螺旋状に巻回してなる巻回部２ａ，２ｂを有するコイル２と、巻回部２ａ，２ｂ内に配置される部分を有する磁性コア３と、コイル２と磁性コア３とを有する組合体１０を収納する箱状のケース４と、ケース４内に充填されて組合体１０を覆う封止樹脂１００とを備える。リアクトル１Ａは、ケース４がコンバータケースなどの設置対象（図示せず）に取り付けられて使用される。設置対象が冷却構造を備えている場合には、リアクトル１Ａの使用時に生じるコイル２の熱や磁性コア３の熱は、組合体１０の周囲を覆う封止樹脂１００からケース４を介してケース４外の設置対象に伝えられる。そのため、コイル２などは設置対象によって冷却される。
【００２２】
実施形態１のリアクトル１Ａの特徴の一つは、封止樹脂１００の材質及び厚さにある。詳しくは、封止樹脂１００のうち、コイル２の巻回部２ａ，２ｂにおけるケース４の開口部寄りの領域（図１，図２では上方領域）を覆う樹脂材料は、その熱伝導率が比較的低い。また、この巻回部２ａ，２ｂにおけるケース４の開口部寄りの領域がこの低熱伝導性の樹脂材料によって厚く覆われている。以下、リアクトル１Ａの主要部材であるコイル２、磁性コア３、ケース４の概要と、特徴点の一つである封止樹脂１００の詳細とをまず説明し、次にリアクトル１Ａの主要部材の詳細や変形例、その他の構成部材などを説明する。
【００２３】
・コイル
コイル２は、図３に示すように１本の連続する巻線２ｗを螺旋状に巻回して形成された一対の筒状の巻回部２ａ，２ｂと、巻線２ｗの一部から形成されて両巻回部２ａ，２ｂを接続する連結部２ｒとを備える。各巻回部２ａ，２ｂは、互いの軸が平行するように並列（横並び）に配置されている。この例の巻線２ｗは、平角線の導体（銅など）と、この導体の外周を覆う絶縁被覆（ポリアミドイミドなど）とを備える被覆平角線（いわゆるエナメル線）であり、巻回部２ａ，２ｂはエッジワイズコイルである。
【００２４】
この例の巻回部２ａ，２ｂは角部を丸めた四角筒状であり、その外形は、四つの平面と、隣り合う平面を繋ぐ湾曲面とで構成される。上記四つの平面のうち、一面（図２，図３では下面）が後述するケース４の内底面４０ｉ（図２）に平行に配置され、この一面の対向面（図２，図３では上面）がケース４の開口側に向くように配置され、残りの二面（図１，図３では左右の面）がケース４の側壁部４１（図１）の内周面に平行に配置される。巻線２ｗの両端部はいずれも、巻回部２ａ，２ｂから適宜な方向に引き出され、その先端の絶縁被覆が剥されて、導体に端子金具（図示せず）が接続される。コイル２は、この端子金具を介して電源などの外部装置（図示せず）と電気的に接続される。
【００２５】
・磁性コア
磁性コア３は、図３に示すように複数の柱状のコア片３１ｍ，３２ｍと、代表的にはコア片３１ｍ，３１ｍ間に介在される複数のギャップ材３１ｇとを備え、環状に組み付けられる。この例では、図３の上方から見てＵ字状であるコア片３２ｍ，３２ｍが、そのＵ字の開口部が向かい合うように配置される。これらコア片３２ｍ，３２ｍ間に、コア片３１ｍとギャップ材３１ｇとを積層した一対の積層物が横並び（並列）に配置される。この配置によって、磁性コア３は環状に組み付けられ、コイル２を励磁したときに閉磁路を形成する。磁性コア３におけるコア片３１ｍ及びギャップ材３１ｇとＵ字状のコア片３２ｍの一部（後述の突出部分）は、図２に示すようにコイル２の巻回部２ａ，２ｂ内に配置される部分を構成し、Ｕ字状のコア片３２ｍの残部（後述のブロック）は、巻回部２ａ，２ｂが配置されず、コイル２から突出した部分を構成する。
【００２６】
コア片３１ｍ，３２ｍは、主として軟磁性材料から構成される。コア片３１ｍ，３２ｍは、鉄や鉄合金（Ｆｅ−Ｓｉ合金、Ｆｅ−Ｎｉ合金など）といった軟磁性金属粉末や更に絶縁被覆を備える被覆粉末などを圧縮成形した圧粉成形体、軟磁性粉末と樹脂とを含む複合材料などが利用できる。この例では、圧粉成形体としている。ギャップ材３１ｇは、代表的にはコア片３１ｍ，３２ｍよりも比透磁率が小さい材料、例えばアルミナなどの非磁性材から構成される。
【００２７】
・ケース
ケース４は、図１，図２に示すようにコイル２と磁性コア３とを備える組合体１０を収納する容器であり、組合体１０の機械的保護、外部環境からの保護（腐食ガスなどからの保護など）などを図る。ケース４は、設置対象に直接取り付けられる部材でもある。ケース４が熱伝導性に優れる材料で構成される場合には、組合体１０の放熱経路として利用される部材でもある。
【００２８】
このようなケース４は、代表的には、組合体１０の載置領域が設けられる内底面４０ｉを備える底部４０と、底部４０から立設されて組合体１０の周囲を囲む側壁部４１とを備え、底部４０に対向する側（図１，図２では上側）が開口した箱体が挙げられる。この例のケース４は、矩形平板状の底部４０と、矩形枠状の側壁部４１とを備える。内底面４０ｉのうち、少なくとも載置領域が図２に示すように平坦な平面であると、上述した巻回部２ａ，２ｂの一平面（下面）を内底面４０ｉに平行に配置できる。この場合、巻回部２ａ，２ｂの一平面（下面）における内底面４０ｉとの近接領域又は接触領域を十分に広く設けられるため、組合体１０の載置の安定化、放熱性の向上などを図ることができる。
【００２９】
この例のケース４は、底部４０と側壁部４１とが一体に成形された金属製の箱である。即ち底部４０は、組合体１０の載置領域だけでなく、底部４０全体が金属によって構成されている。金属は、一般に、樹脂と比較して熱伝導性に優れることから、金属製のケースは、その全体を放熱経路に利用できて、放熱性に優れるリアクトル１Ａとすることができる。この金属製のケースは、コンバータケースに一体に設けられることがある。
【００３０】
金属製のケース４の構成材料は、例えば、アルミニウムやその合金、マグネシウムやその合金、銅やその合金、銀やその合金、鉄やオーステナイト系ステンレス鋼などが挙げられる。アルミニウムやマグネシウム、これらの合金で形成すると、ケース４を軽量にできる。特にアルミニウムやアルミニウム合金は熱伝導率が高く、設置対象への熱伝導性に優れるケース４になって好ましい。また、一体成形された金属製のケース４は、剛性、強度に優れ、リアクトル１Ａ全体の強度を高められる。
【００３１】
・封止樹脂
リアクトル１Ａでは、ケース４内に収納された組合体１０は、図１，図２に示すように、コイル２の巻線２ｗの端部を除き、その実質的に全体がケース４内に充填された封止樹脂１００に埋設されている。従って、封止樹脂１００は、ケース４の内底面４０ｉから開口部に向かって連続的に存在する。封止樹脂１００によって組合体１０の実質的に全体は外部環境の雰囲気に曝されることが無く耐食性などに優れる。一方、封止樹脂１００の最表面１００ｆ（図１，図２では上面）は、外部環境の雰囲気に曝される。
【００３２】
実施形態１のリアクトル１Ａは、封止樹脂１００の最表面１００ｆと外部環境の雰囲気中のガス（例えば酸素）などとが反応して、最表面１００ｆ及びその近傍が酸化劣化することを防止するために、最表面１００ｆの温度が高くなり過ぎることを抑制する構造としている。この過熱抑制構造とは、封止樹脂１００のうち、最表面１００ｆ及びその近傍の領域を上述のように低熱伝導性の樹脂材料で構成すること、及びこの低熱伝導性の樹脂材料から構成される低熱伝導層を厚く存在させることとする。具体的には、封止樹脂１００の最表面１００ｆからコイル２の巻回部２ａ，２ｂまでの距離ｄが最短となる巻回部２ａ，２ｂの表面上の点をとり、この点を含み、封止樹脂１００の最表面１００ｆに平行な仮想平面１０２ｆと、最表面１００ｆとで挟まれる領域を表層領域１０２とする。この表層領域１０２の構成材料の熱伝導率が１Ｗ／ｍ・Ｋ未満である。また、表層領域１０２の厚さｔ１０２が３．５ｍｍ以上である。
【００３３】
・・構成材料
封止樹脂１００の構成材料には、上述の機械的保護、外部環境からの保護、電気的絶縁などの所望の機能を奏する樹脂材料であって、かつ表層領域１０２を構成する樹脂材料の熱伝導率が特定の範囲を満たすものが利用できる。その他、封止樹脂１００の構成材料には、コイル２の通電に起因する磁性コア３の振動、及びこの振動に起因する騒音の低減などを図ることができるものが好ましい。
【００３４】
・・・単層形態
例えば、単一の構成材料を用いて、封止樹脂１００をケース４の底部４０から開口部に向かって一様な特性を有する単層構造とすることができる。単層構造では、封止樹脂１００の全体が、熱伝導率が１Ｗ／ｍ・Ｋ未満の樹脂材料で構成される。単層構造では、樹脂材料の熱伝導率の下限は、樹脂自体の熱伝導率である。樹脂の種類にもよるが、０．０１Ｗ／ｍ・Ｋ以上が挙げられる。単層構造は、製造時、ケース４内への樹脂材料の充填、固化が１度でよく、リアクトル１Ａの製造性に優れる。
【００３５】
単層構造の樹脂材料は、例えば、エポキシ樹脂、ウレタン樹脂、及びアクリル樹脂から選択される１種の樹脂を含むことが挙げられる。封止樹脂１００を実質的に上記に列挙した樹脂のみとすると、後述するフィラーの含有による粘度の増大が生じず、製造時、ケース４内に樹脂材料を容易に充填できたり、脱気し易かったりなどして、リアクトル１Ａの製造性に優れる。上記に列挙した樹脂の熱伝導率は、０．１Ｗ／ｍ・Ｋ以上０．９Ｗ／ｍ・Ｋ以下程度が挙げられる。
【００３６】
又は、封止樹脂１００は、上記に列挙した樹脂に加えて、熱伝導率が１Ｗ／ｍ・Ｋ未満を満たす範囲で熱伝導性に優れるフィラーを含有することができる。高熱伝導性のフィラーを含有することで、封止樹脂１００、特にケース４の底部４０寄りの領域の熱伝導性を高められ、この領域の封止樹脂１００を介して、コイル２の熱を底部４０に伝え易くなる。上記フィラーは、非金属無機材料、例えば、アルミナ、シリカ、酸化マグネシウムなどの酸化物、窒化珪素、窒化アルミニウム、窒化ほう素などの窒化物、炭化珪素などの炭化物などセラミックスから構成されるもの、カーボンナノチューブといった非金属元素から構成されるものなどが挙げられる。
【００３７】
図２では、封止樹脂１００が、熱伝導率が１Ｗ／ｍ・Ｋ未満の単一の樹脂材料で構成された場合を示す。また、図２では、コイル２の巻回部２ａ，２ｂにおけるケース４の内底面４０ｉとの対向面（図２では下面）と内底面４０ｉとの間に、封止樹脂１００の一部を介在させた場合を示す。この場合、介在する封止樹脂１００によって、巻回部２ａ，２ｂと内底面４０ｉとの間の電気絶縁性を高められる。また、この場合、巻回部２ａ，２ｂにおける上記対向面（下面）と内底面４０ｉとの間隔をできるだけ小さくすることで（例えば、０ｍｍ超２ｍｍ以下程度）、巻回部２ａ，２ｂの熱を内底面４０ｉに伝えられ、良好な放熱性も確保できる。なお、図２では分かり易いように上記間隔を強調して示す。又は、巻線２ｗが上述のように絶縁被覆を備える場合には、巻回部２ａ，２ｂにおける上記対向面（下面）と内底面４０ｉとを直接接触させることができる。この場合、上記絶縁被覆によって、巻回部２ａ，２ｂと内底面４０ｉとの間の絶縁を確保する。
【００３８】
・・・積層形態
例えば、複数の異なる構成材料を用いて、封止樹脂１００をケース４の底部４０から開口部に向かって多層に積層された積層構造とすることができる。積層構造では、少なくとも表層領域１０２を上述の単層形態で説明した１Ｗ／ｍ・Ｋ未満の樹脂材料（特に、エポキシ樹脂、ウレタン樹脂、アクリル樹脂など）で構成し、その他の領域は、例えば、表層領域１０２を構成する樹脂材料よりも熱伝導性に優れる樹脂材料によって構成することができる。特に、ケース４の底部４０寄りの領域、とりわけコイル２の巻回部２ａ，２ｂのうち、ケース４の内底面４０ｉに近接する領域、例えば、内底面４０ｉと上述のコア片３１ｍを含む積層物における内底面４０ｉとの対向面（図２では下面）とで挟まれる領域（以下、底部側領域と呼ぶ）を高熱伝導性の樹脂材料で構成することが好ましい。こうすることで、底部側領域を構成する高熱伝導性の樹脂材料を介して、巻回部２ａ，２ｂの熱を良好に底部４０に伝えられ、コイル２の過熱を抑制し易い。
【００３９】
高熱伝導性の樹脂材料としては、熱伝導率が１Ｗ／ｍ・Ｋ以上のものが挙げられる。熱伝導率が高いほど、コイル２の巻回部２ａ，２ｂの熱をケース４の底部４０に伝達し易く、１．５Ｗ／ｍ・Ｋ以上、更に２Ｗ／ｍ・Ｋ以上のものが挙げられる。上限は３０Ｗ／ｍ・Ｋ程度である。このような熱伝導性の樹脂材料は、例えば、エポキシ樹脂、ウレタン樹脂、アクリル樹脂、シリコーン樹脂、不飽和ポリエステル樹脂、ポリフェニレンサルファイド（ＰＰＳ）樹脂、ポリイミド樹脂などに、上述のフィラーを含むものが挙げられる。熱伝導率の高低は、フィラーの含有量や種類などを調整することで行える。
【００４０】
底部側領域以外の領域を構成する樹脂材料は、表層領域１０２を構成する樹脂材料と同一とする形態（即ち、高熱伝導性の底部側領域との二層構造）、表層領域１０２を構成する樹脂材料よりも熱伝導率が高く、ケース４の底部４０寄りの領域（特に、底部側領域）よりも熱伝導率が低い形態（即ち、三層構造）、高熱伝導性の底部側領域から表層領域１０２に向かって熱伝導率が低くなるように熱伝導率を異ならせた形態（即ち、四層以上の多層構造）などとすることができる。積層数が多いほど、封止樹脂１００内の温度変化が緩やかになり、熱伸縮による変形が小さくなって割れなどが生じ難くなる。また、使用する樹脂材料の自由度が高い。積層数が少ないほど、製造時、充填工程や固化工程の数が少なく、製造性に優れる。
【００４１】
表層領域１０２についても、ケース４の底部４０側から最表面１００ｆに向かって熱伝導率が低くなるように、１Ｗ／ｍ・Ｋ未満の範囲で熱伝導率を異ならせた多層構造の形態とすることができる。各層の構成材料は、例えば、エポキシ樹脂、ウレタン樹脂、及びアクリル樹脂から選択される少なくとも１種を含み、適宜、上述のフィラーの含有量やフィラーの種類などが異なるものが挙げられる。表層領域１０２を多層構造とすることで、上述のように割れなどを生じ難くできる上に、使用する樹脂材料の自由度が高い。
【００４２】
・・表層領域
この例では、封止樹脂１００の最表面１００ｆからコイル２の巻回部２ａ，２ｂまでの距離ｄが最短となる巻回部２ａ，２ｂの表面上の点は、巻回部２ａ，２ｂの表面のうち、ケース４の開口部に向かって配置される領域上に存在する一点である。この例の巻回部２ａ，２ｂは、ケース４の開口部に向かって配置される領域の一部が実質的に平面とみなせる。平面とみなす場合には、上述の最短距離をとる点は、巻回部２ａ，２ｂの四つの平面のうち、ケース４の開口部に向かって配置される平面（図２では上面）上に存在する任意の点と考えることができる。仮想平面１０２ｆは、巻回部２ａ，２ｂにおける上記平面（上面）を延長した延長面となる。表層領域１０２は、これら最表面１００ｆと仮想平面１０２ｆとで挟まれる断面長方形状の領域となり、表層領域１０２の厚さｔ１０２は、実質的に一様である。
【００４３】
表層領域１０２の厚さｔ１０２は、厚いほど、上述の低熱伝導性の樹脂材料で構成される表層領域１０２の熱容量が大きくなる。すると、コイル２への通電電流が大きい場合などでも、巻回部２ａ，２ｂの熱によって表層領域１０２が温まり難くなり、封止樹脂１００の最表面１００ｆが過熱され難い。その結果、最表面１００ｆ及びその近傍が外部環境の雰囲気中のガスなどと反応して、熱劣化（例えば酸化劣化）することを効果的に防止できる。熱劣化の防止を考慮すると、厚さｔ１０２は、４ｍｍ以上、更に５ｍｍ以上とすることができる。一方、表層領域１０２の厚さｔ１０２を厚くすると、ケース４の大型化（側壁部４１が高くなる）、封止樹脂１００の使用量の増大、これらに伴う重量の増大、充填時間・固化時間の長大化などを招き得る。リアクトル１Ａの小型化、軽量化、製造性を考慮すると、表層領域１０２の厚さｔ１０２は、１５ｍｍ以下、更に１３ｍｍ以下、１０ｍｍ以下が好ましい。上述のように表層領域１０２を多層構造とする場合には、各層の厚さの合計が３．５ｍｍ以上１５ｍｍ以下を満たすことが好ましい。最表面１００ｆから巻回部２ａ，２ｂの表面までの最短距離の測定には、例えば、超音波厚さ計などを利用することが挙げられる。上述のように巻回部２ａ，２ｂの表面の一部が平面とみなせる場合には、簡略的な測定として、図２に示すようにリアクトル１Ａの縦断面を利用することが挙げられる。いずれの場合も、最表面１００ｆから巻回部２ａ，２ｂの表面までの距離を巻回部２ａ，２ｂの軸方向に沿って測定し、最小値を最短距離とすればよい。
【００４４】
・主要部材の詳細、変形例、その他の構成部材
・・コイル
この例では、一対の巻回部２ａ，２ｂを備える形態を説明したが、巻回部を一つのみ備える形態とすることができる。この場合、磁性コア３は、ＥＥコアやＥＩコア、ＥＲコアなどと呼ばれる公知の形状とすることが挙げられる。その他、巻線２ｗとして、丸線の導体と絶縁被覆とを備える被覆丸線などを利用できる。巻回部を円筒状などとすることができる。
【００４５】
・・磁性コア
この例のコア片３１ｍは、図３に示すように角部を丸めた直方体状であり、ギャップ材３１ｇは、角部を丸めた矩形状の平板である。この例のコア片３２ｍは、角部を丸めた直方体状のブロックと、このブロックから突出する一対の突出部分とを有する。突出部分は、ブロックにおけるコイル２の巻回部２ａ，２ｂの端面に対向する内端面３２ｅからコイル２側に向かって突出する。各突出部分は、コア片３１ｍと同様に角部を丸めた直方体状である。ブロックにおける内端面３２ｅに対向する外表面は、平坦面であるが、湾曲面などとすることができる。
【００４６】
更に、Ｕ字状のコア片３２ｍにおける上記ブロックは、図２に示すようにケース４の内底面４０ｉとの対向面（下面）が、コア片３１ｍを含む積層物における内底面４０ｉとの対向面（下面）よりも突出して形成されている。この例では、コイル２と磁性コア３とを組み付けたとき、上記ブロックにおける上記対向面（下面）がコイル２の巻回部２ａ，２ｂにおける内底面４０ｉとの対向面（下面）よりも突出するように、上記ブロックが形成されている。こうすることで、上述のように巻回部２ａ，２ｂにおける上記対向面（下面）と内底面４０ｉとの間に若干の隙間を設けられて、この隙間に封止樹脂１００の一部を充填できる。また、上記ブロックにおける上記対向面（下面）が内底面４０ｉに支持されることで、組合体１０は、ケース４内での収納状態が安定する。更に、磁性コア３は、上記ブロックから内底面４０ｉに熱を伝えられる。
【００４７】
コア片３１ｍ，３２ｍ及びギャップ材３１ｇの個数、形状、大きさ、組成などは適宜変更できる。例えば、コア片３２ｍを直方体状とし、上述の突出部分をコア片３１ｍとすることができる。ギャップ材３１ｇに代えてエアギャップとしたり、ギャップ材３１ｇを省略したりすることもできる。コア片とギャップ材とは、接着剤などで固定すると、組付け易い。
【００４８】
・・ケース
ケース４は上述の一様な構成材料からなる一体成形品の他、底部４０と側壁部４１とが別体であり、組み合わせて一体となる形態とすることができる。
【００４９】
又は、特許文献１に記載されるように、組合体１０を載置する底部４０が金属板（底板部）から構成され、組合体１０の周囲を囲む側壁部４１が樹脂などの絶縁材料の成形品（壁枠部）から構成され、これらを組合せた形態とすることができる。この組合せのケースは、底板部と壁枠部とが着脱可能な独立部材であるため、製造過程では、壁枠部を取り外して底板部のみとし、内底面４０ｉとなる底板部の一面（載置面）を露出した状態で組合体１０の載置などを行えて作業性に優れる。ひいてはリアクトル１Ａの生産性に優れる。また、壁枠部が樹脂の成形品である場合には、コイル２と側壁部４１との間の絶縁性にも優れる上に、軽量なリアクトル１Ａとすることができる。一方、底板部が金属製であることで熱伝導性に優れるため、底板部を介して、コイル２の巻回部２ａ，２ｂの熱をケース４外の設置対象に良好に伝えられる。
【００５０】
上記底板部の構成材料には、金属製のケースの項で説明した上述の金属を利用できる。上記壁枠部の構成材料には、絶縁材料、例えば、ポリブチレンテレフタレート（ＰＢＴ）樹脂、ウレタン樹脂、ＰＰＳ樹脂、アクリロニトリル−ブタジエン−スチレン（ＡＢＳ）樹脂などの樹脂が挙げられる。この壁枠部は、上記の樹脂を射出成形するなど、公知の成形方法によって容易に製造できる。
【００５１】
又は、上記底板部を、組合体１０の載置領域のみが金属で構成され、その他の領域が非金属で構成された複合部材とすることができる。金属部分の構成材料は、金属製のケースの項で説明した上述の金属を利用できる。非金属部分の構成材料は、上記壁枠部を構成する樹脂材料やセラミックスなどの非金属無機材料などが挙げられる。
【００５２】
・・その他の構成部材
・・・介在部材
この例のリアクトル１Ａ（組合体１０）は、図３に示すようにコイル２と磁性コア３との間に介在される介在部材５を備える。介在部材５は、コイル２と磁性コア３との間の電気的絶縁性を高める機能を有しており、この機能のために絶縁材料から構成される。
【００５３】
この例の介在部材５は、コイル２の巻回部２ａ，２ｂの軸方向に分割される一対の分割材５０ａ，５０ｂを組み合わせて形成される。各分割材５０ａ，５０ｂは、磁性コア３のうち、巻回部２ａ，２ｂ内に収納される部分との間に介在される内側介在部５１と、巻回部２ａ，２ｂの端面とコア片３２ｍの内端面３２ｅとの間に介在される端面介在部５２とを備える。内側介在部５１は、巻回部２ａ，２ｂにおける丸められた角部に沿って配置される複数の湾曲した板片から構成される。各分割材５０ａ，５０ｂの内側介在部５１，５１の端部はそれぞれ、係合するように形成されている。内側介在部５１を板片などとすることで、製造時、封止樹脂１００を構成する未固化の樹脂材料を充填し易い。端面介在部５２は、コア片３２ｍに備える一対の突出部分がそれぞれ挿通される二つの貫通孔５２ｈ，５２ｈを有する枠状の平板部分である。介在部材５の形状は例示であり、適宜変更できる。例えば、両分割材５０ａ，５０ｂにおける内側介在部５１の長さを異ならせた形態（この例では実質的に等しい）、内側介在部５１の端部に係合箇所を有さない形態、内側介在部５１と端面介在部５２とが一体ではなく、それぞれが独立した別部材である形態などとすることができる。
【００５４】
介在部材５の構成材料は、例えば、ＰＰＳ樹脂、ポリテトラフルオロエチレン（ＰＴＦＥ）樹脂、液晶ポリマー（ＬＣＰ）、ナイロン６やナイロン６６などのポリアミド（ＰＡ）樹脂、ＰＢＴ樹脂などの熱可塑性樹脂などといった樹脂が挙げられる。介在部材５は、上記の樹脂を射出成形するなど、公知の成形法によって容易に作製できる。介在部材５には、公知の形状、組成の部材（ボビン、インシュレータと呼ばれることもある）を利用できる。
【００５５】
・・・コア被覆材
上述の介在部材５に代えて、磁性コア３のコア片３１ｍ，３２ｍや、コア片３１ｍとギャップ材３１ｇとの積層物などを上述の熱可塑性樹脂などの絶縁材料で覆ったコア被覆材とすることができる。介在部材５を省略することで、組合体１０の組み付け部品点数を低減でき、組立作業性に優れる。また、複数のコア片などを一体物とすることで組み付け部品を取り扱い易く、リアクトル１Ａの製造性に優れる。コア被覆材や上述の介在部材５を省略してもよいが、これらを備えることで、コイル２と磁性コア３との間の絶縁性を高められる。
【００５６】
・・・センサ
温度センサ、電流センサ、電圧センサ、磁束センサなどのリアクトル１Ａの物理量を測定するセンサ（図示せず）を備えることができる。
【００５７】
・・・放熱板
コイル２の外周面のうち、ケース４の内底面４０ｉとの対向面（図２では下面）及びケース４の開口部に向かう面（同上面）を除く任意の箇所に、即ち、ケース４の側壁部４１の内周面に対向する任意の箇所に放熱板（図示せず）を備えることができる。放熱板の構成材料は、金属製のケースで説明した上述の金属や、フィラーの構成材料のような熱伝導性に優れる非金属無機材料などが利用できる。放熱板は、例えば、接着剤などによって固定するとよい。
【００５８】
・製造方法
リアクトル１Ａは、例えば、コイル２と磁性コア３と、適宜介在部材５などとを組み付けて、組合体１０を形成し、組合体１０をケース４に収納した後、封止樹脂１００とする未固化の樹脂をケース４内に注入して固化することで製造できる。未固化の樹脂は、室温（２０℃〜２５℃程度）での粘度が０．１Ｐａ・ｓ以上２０Ｐａ・ｓ以下程度であると、流動性に優れ、ケース４内に充填し易く、脱気も容易に行えて好ましい。
【００５９】
・作用効果
実施形態１のリアクトル１Ａは、封止樹脂１００のうち、少なくとも表層領域１０２が１Ｗ／ｍ・Ｋ未満といった低熱伝導性の樹脂材料で構成され、かつ封止樹脂１００の最表面１００ｆからコイル２の巻回部２ａ，２ｂの表面までの最短距離が十分に大きい。即ち、リアクトル１Ａは、上述の低熱伝導性の樹脂材料からなる表層領域１０２の厚さｔ１０２が十分に厚く、表層領域１０２の熱容量が大きい。そのため、巻回部２ａ，２ｂにおけるケース４の開口部寄りの領域から封止樹脂１００の最表面１００ｆに向かって熱が伝わり難いといえる。この例では、封止樹脂１００の全体が低熱伝導性の樹脂材料で構成されているため、最表面１００ｆにコイル２の熱などがより伝わり難いと考えられる。熱が伝わり難いことで、最表面１００ｆが高温になり難い。いわば、表層領域１０２がある程度の断熱材として機能して、巻回部２ａ，２ｂの熱をケース４の底部４０側に伝達し易くし、ケース４の開口部側に伝え難くする。
【００６０】
かつ、リアクトル１Ａは、金属製のケース４の底部４０が設置対象に取り付けられることで、コイル２の巻回部２ａ，２ｂは底部４０を介して設置対象によって冷却されるといえる。この例では、巻回部２ａ，２ｂを底部４０に近接させていることからも、底部４０を介して設置対象によって十分に冷却されると考えられる。コイル２が冷却されて巻回部２ａ，２ｂの過熱を抑制できる結果、巻回部２ａ，２ｂから封止樹脂１００の最表面１００ｆに伝わり得る熱量が小さくなるため、最表面１００ｆが高温になり難い。
【００６１】
以上のことから、リアクトル１Ａは、封止樹脂１００の最表面１００ｆ及びその近傍に生じ得る熱劣化を抑制できる。そのため、リアクトル１Ａは、封止樹脂１００の信頼性、耐久性を高められ、長期に亘り、封止樹脂１００の機能、即ち上述の保護や電気的絶縁、振動、騒音の防止などの機能を良好に奏することができる。また、リアクトル１Ａは、封止樹脂１００に使用可能な材料の自由度を高められ、耐熱性に劣る樹脂材料（例えば、アクリル樹脂など）などを利用できる。
【００６２】
［実施形態２］
図４を参照して、実施形態２のリアクトル１Ｂを説明する。図４は、リアクトル１Ｂを、コイル２の巻回部２ａの軸に平行な平面で切断した縦断面図である。
【００６３】
・全体構成
実施形態２のリアクトル１Ｂの基本的構成は実施形態１のリアクトル１Ａと同様である。概略を述べると、リアクトル１Ｂは、図４に示すように、巻線２ｗを螺旋状に巻回してなる巻回部２ａ，２ｂ（２ｂは不図示）を有するコイル２と、巻回部２ａ，２ｂ内に配置される部分を有する磁性コア３と、コイル２と磁性コア３とを有する組合体１０を収納する箱状のケース４と、ケース４内に充填されて組合体１０を覆う封止樹脂１００とを備える。封止樹脂１００のうち、表層領域１０２の構成材料の熱伝導率が１Ｗ／ｍ・Ｋ未満であり、表層領域１０２の厚さｔ１０２が３．５ｍｍ以上である。実施形態２のリアクトル１Ｂにおける実施形態１との相違点は、巻回部２ａ，２ｂとケース４の内底面４０ｉとの間に絶縁材料から構成される絶縁層６を備える点にある。絶縁層６は、特に、高熱伝導性の絶縁材料を含む。以下、相違点である絶縁層６を詳細に説明し、その他の構成及び効果は実施形態１を参照すればよく、省略する。
【００６４】
・・組合体
この例では、磁性コア３のうち、Ｕ字状のコア片３２ｍにおける上述のブロックは、図４に示すようにケース４の内底面４０ｉとの対向面（下面）が、コイル２と磁性コア３とを組み付けたとき、コイル２の巻回部２ａ，２ｂにおける内底面４０ｉとの対向面（下面）と面一になるように形成されている。即ち、組合体１０におけるケース４の内底面４０ｉとの対向面（下面）は、巻回部２ａ，２ｂの一面（下面）と、磁性コア３のコア片３２ｍの一面（主としてブロックの下面）とによって構成される。この形状によって、組合体１０における上記対向面は、後述の絶縁層６との接触面積を広く確保できて、底部４０に安定して支持される上に、組合体１０における底部４０との近接領域を増大できて、放熱性を高められる。その結果、コイル２の過熱をより抑制し易い。
【００６５】
・・絶縁層
リアクトル１Ｂの組合体１０に備えるコイル２の巻回部２ａ，２ｂと、ケース４の内底面４０ｉとの間には、内底面４０ｉに形成された絶縁層６が介在される。内底面４０ｉが上述のように平坦な平面であれば、絶縁層６を容易に形成できる。
【００６６】
・・・絶縁特性
絶縁層６は、コイル２の巻回部２ａ，２ｂとケース４の内底面４０ｉとの間を電気的に絶縁する目的から、耐電圧が高いほど好ましい。具体的には、耐電圧が３ｋＶ／ｍｍ以上が好ましく、５ｋＶ／ｍｍ以上、７ｋＶ／ｍｍ以上がより好ましい。耐電圧が上記範囲を満たすように、絶縁層６の構成材料を調整することができる。
【００６７】
・・・厚さ
絶縁層６の厚さは薄いほど、コイル２の巻回部２ａ，２ｂからケース４の内底面４０ｉに熱を伝え易く、更にはコイル２から設置対象への放熱経路を短くでき、放熱性に優れて好ましい。具体的な厚さは２ｍｍ以下が好ましく、更に１ｍｍ以下、０．８ｍｍ以下、０．５ｍｍ以下、０．１ｍｍ（１００μｍ）以下がより好ましい。一方、絶縁層６の厚さが厚いほど、上述の電気的絶縁を十分に確保できる。そのため、絶縁層６の厚さは３０μｍ（０．０３ｍｍ）以上、更に５０μｍ以上、７０μｍ以上が好ましい。絶縁層６の厚さが所望の値となるように、製造時、未固化層の厚さ、組合体１０の押付力などを調整するとよい。
【００６８】
・・・存在領域
絶縁層６は、コイル２の巻回部２ａ，２ｂとケース４の内底面４０ｉとの間を絶縁できるように、巻回部２ａ，２ｂにおける内底面４０ｉとの対向面（図４では下面）と同等以上の大きさを有することが好ましい。図４に示すように、コイル２に加えて磁性コア３（コア片３２ｍにおける内底面４０ｉとの対向面）と内底面４０ｉとの間にも絶縁層６が介在するように、絶縁層６の大きさを調整することができる。
【００６９】
・・・構成材料
絶縁層６を構成する絶縁材料は、リアクトル１Ａの使用時の最高到達温度に対して軟化しない程度の耐熱性を有し、上述の耐電圧が高いといった電気絶縁性に優れる樹脂を含むことが好ましい。特に、実施形態２のリアクトル１Ｂに備える絶縁層６の構成材料は、熱伝導率が２Ｗ／ｍ・Ｋ以上の樹脂材料を含むことが好ましい。このような高熱伝導性の絶縁材料は、例えば、熱硬化性樹脂、熱可塑性樹脂、湿気硬化性樹脂、常温硬化性樹脂などの種々の樹脂と、上述した放熱性に優れるフィラーとを含む樹脂材料が挙げられる。熱硬化性樹脂は、エポキシ樹脂、シリコーン樹脂、ウレタン樹脂、不飽和ポリエステルなどが挙げられる。熱可塑性樹脂は、ＰＰＳ樹脂、ＬＣＰ、ＰＡ樹脂、ポリアミドイミド、ポリイミドなどが挙げられる。絶縁体であるセラミックスなどの非金属無機材料から構成されるフィラーを含有すると、上述の耐電圧性にも優れて好ましい。銅や銀、アルミニウム、その合金といった金属のフィラーを含有することができるが、この場合、絶縁性を高めるために、上記絶縁体からなるフィラーも含有することが好ましい。セラミックスフィラーを含有すると、高い放熱性と高い絶縁性とを両立し易い。
【００７０】
上述の絶縁材料は、接着剤を含むことが好ましい。絶縁層６の構成材料に接着剤を含むことで、ケース４の内底面４０ｉに組合体１０を強固に固定できる。具体的には、エポキシ樹脂、シリコーン樹脂、ウレタン樹脂などを主体とする硬化性接着剤が挙げられる。
【００７１】
絶縁層６は、例えばシート状のものを用いたり、底部４０の内底面４０ｉに原料の樹脂材料などを塗布やスプレーしたりして形成することができる。
【００７２】
・作用効果
実施形態２のリアクトル１Ｂは、封止樹脂１００のうち、少なくとも表層領域１０２が１Ｗ／ｍ・Ｋ未満といった低熱伝導性の樹脂材料で構成され、かつ封止樹脂１００の最表面１００ｆからコイル２の巻回部２ａ，２ｂの表面までの最短距離が十分に大きい。従って、実施形態１と同様に、リアクトル１Ｂは、封止樹脂１００の最表面１００ｆ及びその近傍に生じ得る熱劣化を抑制でき、長期に亘り、封止樹脂１００の機能を良好に奏することができる。
【００７３】
特に、リアクトル１Ｂは、熱伝導性に優れる絶縁層６をコイル２の巻回部２ａ，２ｂとケース４の内底面４０ｉとの間に備えることで、巻回部２ａ，２ｂの熱を、絶縁層６を介して、ケース４の底部４０ｉに良好に伝達できて、放熱性により優れる。即ち、リアクトル１Ｂは、巻回部２ａ，２ｂの過熱をより効果的に抑制できて、巻回部２ａ，２ｂから封止樹脂１００の最表面１００ｆに伝わり得る熱量をより小さくできる。そのため、リアクトル１Ｂは、最表面１００ｆがより高温になり難く、最表面１００ｆ及びその近傍に生じ得る熱劣化をより抑制できる。
【００７４】
更に、リアクトル１Ｂは、組合体１０を載置するケース４の底部４０が金属製であるものの、コイル２の巻回部２ａ，２ｂと内底面４０ｉとの間に絶縁層６が介在するため、巻回部２ａ，２ｂと内底面４０ｉと間の電気的絶縁性を高められる。
【００７５】
［試験例１］
封止樹脂の材質や表層領域の厚さが異なる複数のリアクトルを作製して、コイルに通電し、封止樹脂の最表面の割れ発生状態を調べた。
【００７６】
この試験で作製した各リアクトルはいずれも、実施形態１で説明した構成、即ち一対の巻回部を有するコイルと、環状に組み付けられる磁性コアと、矩形箱状のケースと、以下の封止樹脂とを備えるものである。コイルはエッジワイズコイル、コア片は圧粉成形体、ケースは、アルミニウム合金製である。表層領域の厚さが最も厚い試料Ｎｏ．１−４を形成できるように、各試料のケースはいずれも同じ高さ（深さ）のものを用いる。
【００７７】
この試験では、コイルへの通電電流値は、通電に伴うジュール熱によってコイルが加熱されてコイルの温度が１５０℃となるように設定する。コイルの温度は、温度センサによって測定し、コイルの温度が１５０℃になってから所定時間（ここでは５００時間）保持した後の割れの発生状態を目視確認する。樹脂材料の組成、及び試験結果を表１に示す。
【００７８】
【表１】
2016178175.tif 000003
【００７９】
表１に示すように、封止樹脂のうち、表層領域の構成材料が１Ｗ／ｍ・Ｋ未満であり、かつ表層領域の厚さ(最表面から巻回部までの最短距離)が３．５ｍｍ以上である試料Ｎｏ．１−１〜１−４はいずれも、コイルの通電電流値が大きいといったリアクトル使用時にコイルの温度が高くなり得る場合でも、封止樹脂の最表面及びその近傍に割れが生じ難いことが分かる。一方、表層領域の構成材料が１Ｗ／ｍ・Ｋ以上で表層領域が３．５ｍｍ以上である試料Ｎｏ．１−１０１、表層領域の構成材料が１Ｗ／ｍ・Ｋ未満かつ表層領域の厚さが３．５ｍｍ未満である試料Ｎｏ．１−１０２〜１−１０４はいずれも、上述のようにコイルの温度が高くなり得る場合には、封止樹脂の最表面及びその近傍に割れが生じる恐れがあることが分かる。特に、表層領域の構成材料の熱伝導率が高い場合には、表層領域の厚さを十分に厚くする方が好ましい、と考えられる。
【００８０】
この試験結果から、封止樹脂のうち、表層領域の構成材料の熱伝導率を低めにすると共に、表層領域を厚くすることは、封止樹脂の最表面及びその近傍に熱劣化を生じ難くすることに効果があることが裏付けられる。
【００８１】
本発明は、これらの例示に限定されるものではなく、特許請求の範囲によって示され、特許請求の範囲と均等の意味及び範囲内での全ての変更が含まれることが意図される。
【産業上の利用可能性】
【００８２】
本発明のリアクトルは、ハイブリッド自動車、プラグインハイブリッド自動車、電気自動車、燃料電池自動車などの車両に搭載される車載用コンバータ（代表的にはＤＣ−ＤＣコンバータ）や空調機のコンバータなどの種々のコンバータ、電力変換装置の構成部品に利用することができる。
【符号の説明】
【００８３】
１Ａ，１Ｂ  リアクトル  １０  組合体
２  コイル  ２ａ，２ｂ  巻回部  ２ｒ  連結部  ２ｗ  巻線
３  磁性コア  ３１ｍ，３２ｍ  コア片  ３１ｇ  ギャップ材  ３２ｅ  内端面
４  ケース  ４０  底部  ４０ｉ  内底面  ４１  側壁部
５  介在部材  ５０ａ，５０ｂ  分割材  ５１  内側介在部  ５２  端面介在部
５２ｈ  貫通孔
６  絶縁層
１００  封止樹脂  １００ｆ  最表面  １０２  表層領域  １０２ｆ  仮想平面
【図１】
2016178175.tif 000004
【図２】
2016178175.tif 000005
【図３】
2016178175.tif 000006
【図４】
2016178175.tif 000007